(57)【要約】【課題】  人体の曲線に合わせて旋回可能であり、使用者の脚部の大きさによって按摩効果を調整すること。【解決手段】  人体に対応して按摩用装置に取付けられた按摩用多方向揺動板の構造であって、按摩用揺動板は按摩用エヤバッグの膨らみに駆動されて人体の曲線に合わせて変化し、前記按摩用揺動板は一つの滑りブロックに枢着され、前記滑りブロックは滑り台の底面と平行する滑り長孔に設けられ、前記滑りブロックは滑り台で旋回自在である。【選択図】  図２
2007006996.tif 000002
【特許請求の範囲】
【請求項１】
人体に対応して按摩用装置に取付けられた按摩用多方向揺動板の構造であって、
按摩用揺動板は按摩用エヤバッグの膨らみに駆動されて人体の曲線に合わせて変化し、
前記按摩用揺動板は一つの滑りブロックに枢着され、前記滑りブロックは滑り台の底面と平行に滑り長孔が設けられ、
前記滑りブロックは滑り台で旋回自在であることを特徴とする、
按摩用多方向揺動板の構造。
【請求項２】
一つの滑り台と、一つの滑りブロックと、一つの枢着軸と、一つの按摩用揺動板と、一つの按摩用エヤバッグとから構成され、前記滑り台には滑りブロックを水平に摺動するための滑り長孔が設けてあり、且つ按摩用揺動板は枢着軸によって滑りブロックに垂直に枢着してあり、前記按摩用エヤバッグは按摩用揺動板を駆動し人体の曲線に合わせて按摩し、按摩用揺動板の水平方向と垂直方向との変化に従って按摩角度が変化することを特徴とする、請求項１に記載の按摩用多方向揺動板の構造。
【請求項３】
按摩用装置は脚部収容台であり、前記脚部収容台は人間の脚部に対応する収容空間が形成してあることを特徴とする、請求項２に記載の按摩用多方向揺動板の構造。
【請求項４】
按摩用装置は、一つの基板と、二つの発振素子と、複数の支持枠とを含み、前記支持枠と基板と発振素子とによって人間の脚部に対応する収容空間が形成されることを特徴とする、請求項１又は２に記載の按摩用多方向揺動板の構造。
【請求項５】
滑り台と、滑りブロックと、枢着軸と、按摩用揺動板と、按摩用エヤバッグとから構成される按摩用多方向揺動板の構造において、
前記滑り台は、按摩用装置の支持枠の両側に固定され、収容空間に対応する方向には二つの定位片が設けてあり、二つの前記定位片の間には作動空間が設けてあり、且つ前記定位片には滑り長孔がそれぞれ水平に開設してあり、二つの滑り長孔が互いに対向し、
前記滑りブロックは、両側には一つの滑り軸がそれぞれ突設してあり、前記滑りブロックは滑り軸によって前記滑り長孔で水平に摺動し、且つ前記滑りブロックは滑り軸の軸心を中心として旋回自在であり、前記滑りブロックの上面には枢着孔が開設してあり、
前記枢着軸は、前記滑りブロックの枢着孔に枢着し設けてあり、
前記按摩用揺動板は、滑り台の収容空間に対応する板体であり、枢着軸の端部に固定され、
前記按摩用エヤバッグは、前記按摩用揺動板の表面と前記按摩用装置の支持枠との間に定位され、予めに設けられたチューブに合わせて、使用者の思う通りに膨張したり凹んだりすることを特徴とする、請求項４に記載の按摩用多方向揺動板の構造。
【発明の詳細な説明】
【技術分野】
【０００１】
本発明は、按摩用多方向揺動板の構造に係り、特に、按摩用エヤバッグによって按摩用揺動板を駆動して人体の曲線に合わせて按摩をし、前記按摩用揺動板は異なる使用者の脚部の曲線と大きさとによって調整自在である、按摩用多方向揺動板の構造に関するものである。
【背景技術】
【０００２】
従来の按摩装置の構成は、駆動軸によって左右按摩用板を駆動して、単一方向と単一角度と単一の按摩強さとで脚部を按摩しているが、変化性のない方式は使用者にとって魅力がない。
【０００３】
そのため、図１に示すような日本特開２００４−１６５０１号公報が開示されている。これは、角度と按摩強さとが変化可能な製品であり、脚部に対応して収容台１０が設けてある。収容台１０の両側には固定枢着レバー１２によって按摩用揺動板１１が設けてあり、按摩用揺動板１１の背面が按摩用エヤバッグ１３に圧迫される。この製品は、固定枢着レバー１２によって、按摩用揺動板１１の旋回角度が人体に合わせて変化可能であり、且つ按摩用エヤバッグ１３の按摩強さはエヤシステムによって調整できる。
【発明の開示】
【発明が解決しようとする課題】
【０００４】
しかしながら、これは次のような欠点があった。
（１）按摩用エヤバッグ１３によって左右按摩用揺動板１１を同一方向に旋回させることにより、脚部の筋肉を按摩し、按摩用揺動板１１の前進角度が変化可能であるが、按摩用揺動板１１の旋回角度は変更できない。
【０００５】
（２）左右按摩用揺動板１１は対向に進行して脚部の筋肉を按摩し、その按摩の調子が単調すぎて、人体の曲線に合うこともできないので、按摩効果は良くない。
【０００６】
（３）各使用者の脚部の曲線が異なり、且つ脚部の太さも異なるが、従来の収容台１０の両側は固定枢着レバー１２によって按摩用揺動板１１を枢着し設けるので、脚部のより細い使用者は脚部を収容台１０に挿入した場合には、按摩用揺動板１１の末段の按摩だけを受け、更に按摩が全く受けられなく、一方、脚部のより太い使用者は脚部を収容台１０に挿入した場合には、脚部が押され過ぎて、製品の寿命が短くなり、更に使用者の脚部が傷付けられる可能性もあった。
【０００７】
本発明の主な目的は、人体の曲線に合わせて旋回可能であり、使用者の脚部の大きさによって按摩効果と按摩強さとを調整できる按摩用多方向揺動板の構造を提供することにある。
【課題を解決するための手段】
【０００８】
上記欠点を解決するためになされた本願の発明は、人体に対応して按摩用装置に取付けられた按摩用多方向揺動板の構造であって、按摩用揺動板は按摩用エヤバッグの膨らみに駆動されて人体の曲線に合わせて変化し、前記按摩用揺動板は一つの滑りブロックに枢着され、前記滑りブロックは滑り台の底面と平行する滑り長孔に設けられ、なお、前記滑りブロックは滑り台で旋回自在であることを特徴とする按摩用多方向揺動板の構造であることを要旨としている。
【０００９】
本願の発明では、一つの滑り台と、一つの滑りブロックと、一つの枢着軸と、一つの按摩用揺動板と、一つの按摩用エヤバッグとから構成され、前記滑り台には滑りブロックを水平に摺動するための滑り長孔が設けてあり、且つ按摩用揺動板は枢着軸によって滑りブロックに垂直に枢着してあり、前記按摩用エヤバッグは按摩用揺動板を駆動し人体の曲線に合わせて按摩し、按摩用揺動板の水平方向と垂直方向との変化に従って按摩角度も変化することを特徴とする請求項１に記載の按摩用多方向揺動板の構造であることを要旨としている。
【００１０】
本願の発明では、按摩用装置は脚部収容台であり、前記脚部収容台は人間の脚部に対応する収容空間が形成してあることを特徴とする請求項２に記載の按摩用多方向揺動板の構造であることを要旨としている。
【００１１】
本願の発明では、按摩用装置は、一つの基板と、二つの発振素子と、複数の支持枠とを含み、前記支持枠と基板と発振素子とによって人間の脚部に対応する収容空間が形成されることを特徴とする請求項１又は２に記載の按摩用多方向揺動板の構造であることを要旨としている。
【００１２】
本願の発明では、前記滑り台は、按摩用装置の支持枠の両側に固定され、収容空間に対応する方向には二つの定位片が設けてあり、二つの前記定位片の間には作動空間が設けてあり、且つ前記定位片には滑り長孔がそれぞれ水平に開設してあり、二つの滑り長孔が互いに対向し、
【００１３】
前記滑りブロックは、両側には一つの滑り軸がそれぞれ突設してあり、前記滑りブロックは滑り軸によって前記滑り長孔で水平に摺動し、且つ前記滑りブロックは滑り軸の軸心を中心として旋回自在であり、前記滑りブロックの上面には枢着孔が開設してあり、
【００１４】
前記枢着軸は、前記滑りブロックの枢着孔に枢着し設けてあり、
【００１５】
前記按摩用揺動板は、滑り台の収容空間に対応する板体であり、枢着軸の端部に固定され、
【００１６】
前記按摩用エヤバッグは、前記按摩用揺動板の表面と前記按摩用装置の支持枠との間に定位され、予めに設けられたチューブに合わせて、使用者の思う通りに膨張したりペコにしたりすることを特徴とする、請求項４に記載の按摩用多方向揺動板の構造であることを要旨としている。
【００１７】
本願の第１発明は、人体に対応してに取付けられた按摩用多方向揺動板を具備した按摩用装置であって、前記按摩用揺動板は按摩用エヤバッグの膨らみに駆動されて人体の曲線に合わせて変化し、前記按摩用揺動板は一つの滑りブロックに枢着され、前記滑りブロックは滑り台の底面と平行に滑り長孔が設けられ、前記滑りブロックは滑り台で旋回自在であることを特徴とする、按摩用装置である。
本願の第２発明は、前記第１発明において、一つの滑り台と、一つの滑りブロックと、一つの枢着軸と、一つの按摩用揺動板と、一つの按摩用エヤバッグとから構成され、前記滑り台には滑りブロックを水平に摺動するための滑り長孔が設けてあり、且つ按摩用揺動板は枢着軸によって滑りブロックに垂直に枢着してあり、前記按摩用エヤバッグは按摩用揺動板を駆動し人体の曲線に合わせて按摩し、按摩用揺動板の水平方向と垂直方向との変化に従って按摩角度が変化することを特徴とする、按摩用装置である。
本願の第３発明は、前記第２発明において、脚部収容台を追加して具備し、前記脚部収容台は人間の脚部に対応する収容空間が形成してあることを特徴とする、按摩用装置である。
本願の第４発明は、前記第１発明又は２発明において、一つの基板と、二つの発振素子と、複数の支持枠とを含み、前記支持枠と基板と発振素子とによって人間の脚部に対応する収容空間が形成されることを特徴とする、按摩用装置である。
本願の第５発明は、前記第４発明において、按摩用多方向揺動板が滑り台と、滑りブロックと、枢着軸と、按摩用揺動板と、按摩用エヤバッグとから構成され、前記滑り台は、按摩用装置の支持枠の両側に固定され、収容空間に対応する方向には二つの定位片が設けてあり、二つの前記定位片の間には作動空間が設けてあり、且つ前記定位片には滑り長孔がそれぞれ水平に開設してあり、二つの滑り長孔が互いに対向し、前記滑りブロックは、両側には一つの滑り軸がそれぞれ突設してあり、前記滑りブロックは滑り軸によって前記滑り長孔で水平に摺動し、且つ前記滑りブロックは滑り軸の軸心を中心として旋回自在であり、前記滑りブロックの上面には枢着孔が開設してあり、前記枢着軸は、前記滑りブロックの枢着孔に枢着し設けてあり、前記按摩用揺動板は、滑り台の収容空間に対応する板体であり、枢着軸の端部に固定され、前記按摩用エヤバッグは、前記按摩用揺動板の表面と前記按摩用装置の支持枠との間に定位され、予めに設けられたチューブに合わせて、使用者の思う通りに膨張したり凹んだりすることを特徴とする、按摩用装置である。
【発明の効果】
【００１８】
本発明に係る按摩用多方向揺動板の構造によれば、按摩用エヤバッグによって按摩用揺動板を駆動し人体の曲線に合わせて按摩し、前記按摩用揺動板は異なる使用者の脚部の曲線と大きさとによって調整自在であるので、按摩効果と按摩強さとは調整可能である。
【発明を実施するための最良の形態】
【００１９】
以下、添付図面を参照して本発明の好適な実施の形態を詳細に説明する。
まず、図３と図４と図５と図８を参照して説明する。
本発明の実施例に係る按摩用多方向揺動板の構造は、二つを一組にして独立な按摩用椅子Ｄ内に取付けられ、且つ按摩用多方向揺動板は一つの脚部収容台２０内に対向して設置される。脚部収容台２０は、一つの基板２１と、二つの発振素子２２（例えば振動ラッパ）と、複数の支持枠２３とを含む。前記支持枠２３と基板２１と発振素子２２とによって人間の脚部に対応する収容空間Ａが形成される。本発明の按摩用多方向揺動板の構造は、滑り台３０と、滑りブロック４０と、枢着軸５０と、按摩用揺動板６０と、按摩用エヤバッグ７０とから構成されたものである。
【００２０】
前記滑り台３０は、脚部収容台２０の支持枠２３の両側に固定され、収容空間Ａに対応する方向には二つの定位片３１が設けてあり、二つの前記定位片３１の間には作動空間Ｂが設けてあり、且つ前記定位片３１には滑り長孔３２がそれぞれ水平に開設してある。二つの滑り長孔３２は互いに対向する。
【００２１】
前記滑りブロック４０は、両側には一つの滑り軸４１がそれぞれ突設してあり、前記滑りブロック４０は滑り軸４１によって前記滑り長孔３２で水平に摺動し、且つ前記滑りブロック４０は滑り軸４１の軸心を中心として作動空間Ｂ内に旋回自在であり、前記滑りブロック４０の上面には枢着孔４２が開設してある。
【００２２】
前記枢着軸５０は、滑りスリーブ５１と定位フック５２によって前記滑りブロック４０の枢着孔４２に枢着し設けてあり、且つ枢着軸５０は滑りブロック４０に対して旋回自在である。
【００２３】
前記按摩用揺動板６０は、滑り台３０の収容空間Ａに対応する板体であり、枢着軸５０の端部に固定される。
【００２４】
前記按摩用エヤバッグ７０は、前記按摩用揺動板６０の表面と前記脚部収容台２０の支持枠２３との間に定位され、予めに設けられたチューブに合わせて、使用者の思う通りに膨張したりペコにしたりすることが可能である。
【００２５】
次に、図６と図７とに示すのは、本発明に係る実施例の使用状態を示す概略図である。
【００２６】
図８に示すように、本発明に係る実施例の使用方法は、按摩用エヤバッグ７０は、予めに設けられたチューブに合わせて、使用者の思う通りに膨張したり凹んだりする。
前記按摩用エヤバッグ７０は前記按摩用揺動板６０の表面と前記脚部収容台２０の支持枠２３との間に定位されるので、按摩用揺動板６０が按摩用エヤバッグ７０に押されて脚部Ｃを圧迫する。
脚部Ｃの両側は異なる３次元曲線であるので、左右按摩用揺動板６０の揺動が異なりになる。
本発明は、滑りブロック４０によって、按摩用揺動板６０が水平に摺動でき、且つ水平軸に対して旋回自在である。
また、枢着軸５０は滑りブロック４０に対して垂直方向に旋回自在であり、そのため、本発明に係る左右按摩用揺動板６０は脚部Ｃの両側の異なる３次元曲線に対応して押圧し揺動でき、按摩用エヤバッグ７０の膨らみによって波状の按摩効果を脚部Ｃに実施することができ、且つ左右按摩用揺動板６０は脚部Ｃの両側に押圧し揺動する。
したがって、本発明に係る按摩用多方向揺動板の構造によれば、按摩用エヤバッグによって按摩用揺動板を駆動し人体の曲線に合わせて按摩し、前記按摩用揺動板は異なる使用者の脚部の曲線と大きさとによって調整自在であるので、按摩効果と按摩強さとは調整可能である。
【００２７】
特に、本発明は滑りブロック４０によって按摩用揺動板６０を水平に摺動させるので、按摩用揺動板６０が按摩用エヤバッグ７０の膨らみに駆動され人体の曲線に従って水平方向に変位するため、脚部の太さにも係らずに、使用者は充分の按摩効果を楽しむことができ、且つ按摩の強さも極めて適当になる。
【００２８】
特に説明したいのは、本発明の上記効果は下記の二つのユニックな構成による。
【００２９】
（１）滑りブロック４０によって、按摩用揺動板６０が水平に摺動でき、且つ水平軸に対して旋回自在である。
【００３０】
（２）枢着軸５０は滑りブロック４０に対して垂直方向に旋回自在である。
そのため、按摩用揺動板６０が按摩用エヤバッグ７０の膨らみに駆動され人体の曲線に従って３次元に変位する技術を採用するものは、全て本発明の特許請求範囲に属する。
【図面の簡単な説明】
【００３１】
【図１】従来のものの構造を示す概略図である。
【図２】本発明に係る実施例の斜視図である。
【図３】本発明に係る実施例の概略図である（按摩用エヤバッグがペコになった状態）。
【図４】本発明に係る実施例の概略図である（按摩用エヤバッグが膨らんだ状態）。
【図５】本発明に係る実施例の他の概略図である。
【図６】本発明に係る実施例の実施状態を示す側面図である。
【図７】本発明に係る実施例の実施状態を示す平面図である。
【図８】本発明に係る実施例の斜視図である。
【符号の説明】
【００３２】
１０      収容台                    １１      按摩用揺動板
１２      固定枢着レバー            １３      按摩用エヤバッグ
２０      脚部収容台                ２１      基板
２２      発振素子                  ２３      支持枠
Ａ        収容空間
３０      滑り台                    ３１      定位片
３２      滑り長孔                  Ｂ        作動空間
４０      滑りブロック              ４１      滑り軸
４２      枢着孔
５０      枢着軸                    ５１      滑りスリーブ
５２      定位フック
６０      按摩用揺動板
７０      按摩用エヤバッグ
Ｃ        脚部                      Ｄ        按摩用椅子
【図１】
2007006996.tif 000003
【図２】
2007006996.tif 000004
【図３】
2007006996.tif 000005
【図４】
2007006996.tif 000006
【図５】
2007006996.tif 000007
【図６】
2007006996.tif 000008
【図７】
2007006996.tif 000009
【図８】
2007006996.tif 000010